(57)【要約】【課題】再生時において、録画時に表示した所定の辞書画面を呼び出すためのユーザの入力作業を不要とする。【解決手段】受信した映像データを表示画面に表示させた状態で、当該映像データを録画部２２によって録画している場合に、第１指示を受け付けたとき、電子辞書の画面を表示画面に表示させる表示制御部２１と、電子辞書の画面のうち所定の画面を表示画面の少なくとも一部に表示させる処理が録画中に行われた場合、当該表示された画面を特定する特定データを電子辞書のデータに基づいて生成するとともに、生成した特定データを録画している映像データに関連付けて記憶する生成部２４とを備え、表示制御部２１は、録画した映像データを再生させる再生指示を再生部２３が受け付けた場合、当該映像データに関連付けて記憶した特定データに基づき、上記所定の画面を前記表示画面に表示させる。【選択図】図１
2010041197.tif 000002
【特許請求の範囲】
【請求項１】
電子辞書の機能を有する電子機器であって、
受信装置を介して受信した映像データを記憶装置に録画する録画手段と、
前記記憶装置に録画した前記映像データを表示画面に再生する再生手段と、
前記受信した映像データを前記表示画面に表示させた状態で、当該映像データを前記録画手段によって録画している場合に、第１指示を受け付けたとき、前記電子辞書の画面を前記表示画面に表示させる表示制御手段と、
前記電子辞書の画面のうち所定の画面を前記表示画面の少なくとも一部に表示させる処理が前記録画中に行われた場合、当該表示された画面を特定する特定データを前記電子辞書のデータに基づいて生成するとともに、当該生成した特定データを前記録画している映像データに関連付けて前記記憶装置に記憶する生成手段とを備え、
前記表示制御手段は、前記録画した映像データを再生させる再生指示を前記再生手段が受け付けた場合、当該映像データに関連付けて記憶した前記特定データに基づき、前記所定の画面を前記表示画面に表示させる、電子機器。
【請求項２】
前記表示制御手段は、前記第１指示を受け付けたとき、前記電子辞書の画面として検索用画面を前記表示画面に表示させ、
前記生成手段は、前記検索用画面を介した入力によって特定された見出し語と当該見出し語についての意味とを前記表示画面の少なくとも一部に表示させる処理が行われた場合、前記特定データとして当該表示された画面を特定する第１特定データを前記電子辞書のデータに基づいて生成し、
前記表示制御手段は、前記録画した映像データを再生させる再生指示を前記再生手段が受け付けた場合、当該映像データに関連付けて記憶した前記第１特定データに基づき、見出し語と当該見出し語についての意味とを前記表示画面に表示させる、請求項１に記載の電子機器。
【請求項３】
前記表示制御手段は、前記特定された見出し語を含んだ複数の見出し語と、前記特定された見出し語についての意味とを、前記表示画面に同時に表示可能であり、
前記生成手段は、前記複数の見出し語と前記特定された見出し語についての意味とが前記表示画面に同時に表示された場合にも、当該表示された画面を特定する第１特定データを生成するとともに当該生成した第１特定データを前記録画している映像データに関連付けて前記記憶装置に記憶する、請求項２に記載の電子機器。
【請求項４】
入力装置を介した入力に基づき、前記複数の見出し語の中から前記特定された見出し語以外の他の一つの見出し語を指定する第１指定手段を備え、
前記表示制御手段は、前記指定された見出し語についての意味を前記表示画面の少なくとも一部に表示させ、
前記生成手段は、前記複数の見出し語と前記指定された見出し語についての意味とが同時に前記表示画面に表示された場合にも、当該表示された画面を特定する第１特定データを生成するとともに当該生成した第１特定データを前記録画している映像データに関連付けて前記記憶装置に記憶する、請求項３に記載の電子機器。
【請求項５】
前記特定された見出し語についての意味が前記表示画面に表示されている場合、入力装置を介した入力に基づき、表示された内容に含まれる特定の語句のうち一つの語句を指定する第２指定手段を備え、
前記表示制御手段は、第２指示を受け付けた場合、前記第２指定手段により指定された語句と当該語句の意味とを前記表示画面の少なくとも一部に表示させ、
前記生成手段は、前記指定された語句と当該語句の意味とが前記表示画面に表示された場合にも、当該表示された画面を特定する第１特定データを生成するとともに当該生成した第１特定データを前記録画している映像データに関連付けて前記記憶装置に記憶する、請求項２から４のいずれか１項に記載の電子機器。
【請求項６】
前記生成手段は、前記特定された見出し語を特定された順に前記記憶装置に記憶させるとともに、第３指示を受け付けた場合、前記特定された見出し語のうち当該第３指示を受け付けた直前に特定された見出し語を前記録画している映像データに関連付けて前記記憶装置に記憶し、
前記表示制御手段は、前記再生指示を受け付けた場合、前記直前に特定された見出し語についても前記表示画面に表示させる、請求項２から５のいずれか１項に記載の電子機器。
【請求項７】
前記生成手段は、前記特定された見出し語を特定された順に前記記憶装置に記憶させるとともに、前記電子辞書における検索用画面が前記映像データの代わりに前記表示画面に表示されている場合に前記映像データを前記表示画面に再度表示させる第４指示を前記表示制御手段が受け付けたときには、前記特定された見出し語のうち前記第４指示を受け付けた直前に特定された見出し語を前記録画している映像データに関連付けて前記記憶装置に記憶し、
前記表示制御手段は、前記再生指示を受け付けた場合、前記直前に特定された見出し語についても前記表示画面に表示させる、請求項２から５のいずれか１項に記載の電子機器。
【請求項８】
前記表示制御手段は、前記第１指示を受け付けたとき、前記映像データを表示する代わりに前記電子辞書の画面を前記表示画面に表示させ、
前記再生手段は、前記第１指示を受け付けた後に前記映像データを前記表示画面に再度表示させる場合には、前記録画した映像データに基づき当該映像データのタイムシフト再生を行う、請求項１から７のいずれか１項に記載の電子機器。
【請求項９】
前記生成手段は、前記第１指示を受け付けた直前に表示された映像データに関連付けて前記第１特定データを前記記憶装置に記憶し、
前記表示制御手段は、前記再生指示を受け付けた場合、前記第１指示を受け付けた直前に表示された映像データを再生した直後に、前記第１特定データに基づき見出し語と当該見出し語についての意味とを前記表示画面に表示させる、請求項２から８のいずれか１項に記載の電子機器。
【請求項１０】
前記表示制御手段は、前記再生指示を受け付けた場合、映像データの再生の前に、前記第１特定データに基づき見出し語と当該見出し語についての意味とを前記表示画面に表示させる、請求項２から８のいずれか１項に記載の電子機器。
【請求項１１】
前記表示制御手段は、前記再生指示を受け付けた場合、映像データの再生が終了した後に、前記第１特定データに基づき見出し語と当該見出し語についての意味とを前記表示画面に表示させる、請求項２から８のいずれか１項に記載の電子機器。
【請求項１２】
前記映像データの録画を行っている場合、前記特定された見出し語と当該見出し語についての意味とを前記表示画面の少なくとも一部に表示させた時間を測定する測定手段を備え、
前記生成手段は、前記測定手段が測定した時間のデータを、前記録画している映像データに関連付けて前記記憶装置に記憶させ、
前記表示制御手段は、前記再生指示を受け付けた場合には、前記時間のデータで示された時間にわたり、前記第１特定データに基づき見出し語についての意味を前記表示画面の少なくとも一部に表示させる、請求項９から１１のいずれか１項に記載の電子機器。
【請求項１３】
前記表示制御手段は、前記第１指示を受け付けたとき、前記電子辞書の画面として検索用画面を前記表示画面に表示させ、
前記生成手段は、前記検索用画面を介した入力によって特定された見出し語を用いた例文、当該見出し語を解説するための図、および当該見出し語を解説するための音声のうちの少なくとも１つデータに基づいた出力がなされると、前記特定データとして当該出力されたデータを特定する第２特定データを前記電子辞書のデータに基づいて生成するとともに、当該生成した第２特定データを前記録画している映像データに関連付けて前記記憶装置に記憶し、
前記表示制御手段は、前記録画した映像データを再生させる再生指示を前記再生手段が受け付けた場合、当該映像データに関連付けて記憶した前記第２特定データに基づき、前記出力されたデータを再度出力する、請求項１に記載の電子機器。
【請求項１４】
前記生成手段は、前記検索用画面を介した入力によって特定された見出し語と当該見出し語についての意味とを前記表示画面の少なくとも一部に表示させる処理が行われた後に、当該特定された見出し語を用いた例文、当該見出し語を解説するための図、および当該見出し語を解説するための音声のうちの少なくとも１つデータに基づいた出力がなされると、前記特定データとして当該出力されたデータを特定する第２特定データを前記電子辞書のデータに基づいて生成するとともに、当該生成した第２特定データを前記録画している映像データに関連付けて前記記憶装置に記憶し、
前記表示制御手段は、前記録画した映像データを再生させる再生指示を前記再生手段が受け付けた場合、さらに、当該映像データに関連付けて記憶した前記第２特定データに基づき、前記出力されたデータを再度出力する、請求項２から１２のいずれか１項に記載の電子機器。
【請求項１５】
前記生成手段は、前記第１指示を受け付けた直前に表示された映像データに関連付けて前記第１特定データと前記第２特定データとを前記記憶装置に記憶し、
前記表示制御手段は、前記再生指示を受け付けた場合、前記第１指示を受け付けた直前に表示された映像データを再生した直後に、前記第１特定データに基づき見出し語と当該見出し語についての意味とを前記表示画面に表示させた後、前記第２特定データに基づき前記出力を行う、請求項１４に記載の電子機器。
【請求項１６】
前記表示制御手段は、前記録画した映像データの再生中に前記第１指示を受け付けたとき、前記電子辞書における検索用画面を前記表示画面に再度表示させ、
前記生成手段は、前記再度表示させた検索用画面を介した入力によって特定された見出し語と当該見出し語についての意味とを前記表示画面の少なくとも一部に表示させる処理が行われた場合、当該表示された画面を特定する第１特定データを生成するとともに当該生成した第１特定データを前記録画している映像データに関連付けて前記記憶装置に追加記憶する、請求項２から１２のいずれか１項に記載の電子機器。
【請求項１７】
前記再生手段は、前記検索用画面が前記表示画面に再度表示された場合、前記録画した映像データの再生を中断する、請求項１６に記載の電子機器。
【請求項１８】
前記表示制御手段は、前記再生指示を前記再生手段が受け付けた場合、前記追加記憶した前記第１特定データに基づく見出し語と当該見出し語についての意味とについても、前記表示画面の少なくとも一部に表示させる、請求項１６または１７に記載の電子機器。
【請求項１９】
電子辞書の機能を有する電子機器であって、
記憶装置に録画した映像データを表示画面に再生する再生手段と、
前記録画した映像データの再生中に、第１指示を受け付けたとき、前記電子辞書の画面を前記表示画面に表示させる表示制御手段と、
前記電子辞書の画面のうち所定の画面を前記表示画面の少なくとも一部に表示させる処理が前記録画中に行われた場合、当該表示された画面を特定する特定データを生成するとともに当該生成した特定データを前記録画している映像データに関連付けて前記記憶装置に記憶する生成手段とを備え、
前記表示制御手段は、前記録画した映像データを再生させる再生指示を再生手段が受け付けた場合、当該映像データに関連付けて記憶した前記特定データに基づき、前記所定の画面を前記表示画面に表示させる、電子機器。
【請求項２０】
前記特定データは、前記表示された画面の画像データとは異なるデータ形式のデータである、請求項１から１９のいずれか１項に記載の電子機器。
【請求項２１】
電子辞書の機能を有する電子機器における表示制御方法であって、
受信装置を介して受信した映像データを記憶装置に録画する録画ステップと、
前記記憶装置に録画した前記映像データを表示画面に再生する再生ステップと、
前記受信した映像データを前記表示画面に表示させた状態で、当該映像データを録画している場合に、第１指示を受け付けたとき、前記電子辞書の画面を前記表示画面に表示させる表示ステップと、
前記電子辞書の画面のうち所定の画面を前記表示画面の少なくとも一部に表示させる処理が前記録画中に行われた場合、当該表示された画面を特定する特定データを前記電子辞書のデータに基づいて生成するとともに、当該生成した特定データを前記録画している映像データに関連付けて前記記憶装置に記憶する生成ステップとを含み、
前記表示ステップでは、前記録画した映像データを再生させる再生指示を受け付けた場合、当該映像データに関連付けて記憶した前記特定データに基づき、前記所定の画面を前記表示画面に表示させる、表示制御方法。
【請求項２２】
請求項２１に記載の表示制御方法をコンピュータに実行させるためのプログラム。
【発明の詳細な説明】
【技術分野】
【０００１】
本発明は、電子機器、表示制御方法、およびプログラムに関し、特に、録画した映像データを再生可能な、電子機器、表示制御方法、およびプログラムに関する。
【背景技術】
【０００２】
従来より、テレビ放送が視聴可能であるとともに電子辞書の機能を備えた電子機器が知られている。また、特許文献１には、ワンセグ放送等によって提供されるテレビ放送を受信するとともに、当該受信したテレビ放送を録画・再生可能な情報処理装置が開示されている。
【０００３】
なお、特許文献２には、ユーザが視聴している番組に関する補足的な情報を検索するための技術が開示されている。特許文献３には、テレビジョン信号に重畳されて伝送される文字情報を利用することによって、希望の番組または番組の中の希望の部分を容易に録画再生するための技術が開示されている。特許文献４には、テレビ放送等において出力される内容に関する情報を、当該時間の経過に伴う変化に合わせて抽出し、当該抽出した情報から生成したキーワードを基に、当該テレビ放送等に関連する情報を検索する技術が開示されている。
【特許文献１】特開２００７−２０１６８３号公報
【特許文献２】特開平９−２９４２５３号公報
【特許文献３】特開平１０−２８５５２号公報
【特許文献４】特開２００４−２１５０９４号公報
【発明の開示】
【発明が解決しようとする課題】
【０００４】
ところで、特許文献１の情報処理装置に電子辞書を搭載した場合であっても、テレビ放送を録画しつつユーザが当該テレビ放送を視聴しているときに、ユーザがテレビ放送の視聴を中断して当該中断の間にユーザが電子辞書を用いて表示させた所定の画面については、上記録画したテレビ放送の再生中においては表示されない。
【０００５】
このため、場合によっては、ユーザは、上記再生中においても上記所定の画面を呼び出すための入力を行う必要が生じる。
【０００６】
本願発明は、上記問題点に間がみなされたものであって、その目的は、映像データの再生時において、当該映像データの録画時に表示した所定の辞書画面を呼び出すためのユーザの入力作業が不要となる、電子機器、表示制御方法、およびプログラムを提供することにある。
【課題を解決するための手段】
【０００７】
本発明のある局面に従うと、電子機器は、電子辞書の機能を有する電子機器であって、受信装置を介して受信した映像データを記憶装置に録画する録画手段と、記憶装置に録画した映像データを表示画面に再生する再生手段と、受信した映像データを表示画面に表示させた状態で、当該映像データを録画手段によって録画している場合に、第１指示を受け付けたとき、電子辞書の画面を表示画面に表示させる表示制御手段と、電子辞書の画面のうち所定の画面を表示画面の少なくとも一部に表示させる処理が録画中に行われた場合、当該表示された画面を特定する特定データを電子辞書のデータに基づいて生成するとともに、当該生成した特定データを録画している映像データに関連付けて記憶装置に記憶する生成手段とを備え、表示制御手段は、録画した映像データを再生させる再生指示を前記再生手段が受け付けた場合、当該映像データに関連付けて記憶した特定データに基づき、上記所定の画面を前記表示画面に表示させる。
【０００８】
また、表示制御手段は、第１指示を受け付けたとき、電子辞書の画面として検索用画面を表示画面に表示させ、生成手段は、検索用画面を介した入力によって特定された見出し語と当該見出し語についての意味とを表示画面の少なくとも一部に表示させる処理が行われた場合、特定データとして当該表示された画面を特定する第１特定データを電子辞書のデータに基づいて生成し、表示制御手段は、録画した映像データを再生させる再生指示を再生手段が受け付けた場合、当該映像データに関連付けて記憶した第１特定データに基づき、見出し語と当該見出し語についての意味とを表示画面に表示させることが好ましい。
【０００９】
また、表示制御手段は、特定された見出し語を含んだ複数の見出し語と、特定された見出し語についての意味とを、表示画面に同時に表示可能であり、生成手段は、複数の見出し語と特定された見出し語についての意味とが表示画面に同時に表示された場合にも、当該表示された画面を特定する第１特定データを生成するとともに当該生成した第１特定データを録画している映像データに関連付けて記憶装置に記憶することが好ましい。
【００１０】
また、入力装置を介した入力に基づき、複数の見出し語の中から特定された見出し語以外の他の一つの見出し語を指定する第１指定手段を備え、表示制御手段は、指定された見出し語についての意味を表示画面の少なくとも一部に表示させ、生成手段は、複数の見出し語と指定された見出し語についての意味とが同時に表示画面に表示された場合にも、当該表示された画面を特定する第１特定データを生成するとともに当該生成した第１特定データを録画している映像データに関連付けて記憶装置に記憶することが好ましい。
【００１１】
また、特定された見出し語についての意味が表示画面に表示されている場合、入力装置を介した入力に基づき、表示された内容に含まれる特定の語句のうち一つの語句を指定する第２指定手段を備え、表示制御手段は、第２指示を受け付けた場合、第２指定手段により指定された語句と当該語句の意味とを表示画面の少なくとも一部に表示させ、生成手段は、指定された語句と当該語句の意味とが表示画面に表示された場合にも、当該表示された画面を特定する第１特定データを生成するとともに当該生成した第１特定データを録画している映像データに関連付けて記憶装置に記憶することが好ましい。
【００１２】
また、生成手段は、特定された見出し語を特定された順に記憶装置に記憶させるとともに、第３指示を受け付けた場合、特定された見出し語のうち当該第３指示を受け付けた直前に特定された見出し語を録画している映像データに関連付けて記憶装置に記憶し、表示制御手段は、再生指示を受け付けた場合、直前に特定された見出し語についても表示画面に表示させることが好ましい。
【００１３】
また、生成手段は、特定された見出し語を特定された順に記憶装置に記憶させるとともに、電子辞書における検索用画面が映像データの代わりに表示画面に表示されている場合に映像データを表示画面に再度表示させる第４指示を表示制御手段が受け付けたときには、特定された見出し語のうち第４指示を受け付けた直前に特定された見出し語を録画している映像データに関連付けて記憶装置に記憶し、表示制御手段は、再生指示を受け付けた場合、直前に特定された見出し語についても表示画面に表示させることが好ましい。
【００１４】
また、表示制御手段は、第１指示を受け付けたとき、映像データを表示する代わりに電子辞書の画面を表示画面に表示させ、再生手段は、第１指示を受け付けた後に映像データを表示画面に再度表示させる場合には、録画した映像データに基づき当該映像データのタイムシフト再生を行うことが好ましい。
【００１５】
また、生成手段は、第１指示を受け付けた直前に表示された映像データに関連付けて第１特定データを記憶装置に記憶し、表示制御手段は、再生指示を受け付けた場合、第１指示を受け付けた直前に表示された映像データを再生した直後に、第１特定データに基づき見出し語と当該見出し語についての意味とを表示画面に表示させることが好ましい。
【００１６】
また、表示制御手段は、再生指示を受け付けた場合、映像データの再生の前に、第１特定データに基づき見出し語と当該見出し語についての意味とを表示画面に表示させることが好ましい。
【００１７】
また、表示制御手段は、再生指示を受け付けた場合、映像データの再生が終了した後に、第１特定データに基づき見出し語と当該見出し語についての意味とを表示画面に表示させることが好ましい。
【００１８】
また、映像データの録画を行っている場合、特定された見出し語と当該見出し語についての意味とを表示画面の少なくとも一部に表示させた時間を測定する測定手段を備え、生成手段は、測定手段が測定した時間のデータを、録画している映像データに関連付けて記憶装置に記憶させ、表示制御手段は、再生指示を受け付けた場合には、上記時間のデータで示された時間にわたり、第１特定データに基づき見出し語についての意味を表示画面の少なくとも一部に表示させることが好ましい。
【００１９】
また、表示制御手段は、第１指示を受け付けたとき、電子辞書の画面として検索用画面を表示画面に表示させ、生成手段は、検索用画面を介した入力によって特定された見出し語を用いた例文、当該見出し語を解説するための図、および当該見出し語を解説するための音声のうちの少なくとも１つデータに基づいた出力がなされると、特定データとして当該出力されたデータを特定する第２特定データを電子辞書のデータに基づいて生成するとともに、当該生成した第２特定データを録画している映像データに関連付けて記憶装置に記憶し、表示制御手段は、録画した映像データを再生させる再生指示を再生手段が受け付けた場合、当該映像データに関連付けて記憶した第２特定データに基づき、上記出力されたデータを再度出力することが好ましい。
【００２０】
また、生成手段は、検索用画面を介した入力によって特定された見出し語と当該見出し語についての意味とを表示画面の少なくとも一部に表示させる処理が行われた後に、当該特定された見出し語を用いた例文、当該見出し語を解説するための図、および当該見出し語を解説するための音声のうちの少なくとも１つデータに基づいた出力がなされると、当該出力されたデータを特定する第２特定データを電子辞書のデータに基づいて生成するとともに、当該生成した第２特定データを録画している映像データに関連付けて記憶装置に記憶し、表示制御手段は、録画した映像データを再生させる再生指示を再生手段が受け付けた場合、さらに、当該映像データに関連付けて記憶した第２特定データに基づき、上記出力されたデータを再度出力することが好ましい。
【００２１】
また、生成手段は、第１指示を受け付けた直前に表示された映像データに関連付けて第１特定データと第２特定データとを記憶装置に記憶し、表示制御手段は、再生指示を受け付けた場合、第１指示を受け付けた直前に表示された映像データを再生した直後に、第１特定データに基づき見出し語と当該見出し語についての意味とを表示画面に表示させた後、第２特定データに基づき出力を行うことが好ましい。
【００２２】
また、表示制御手段は、録画した映像データの再生中に第１指示を受け付けたとき、電子辞書における検索用画面を表示画面に再度表示させ、生成手段は、再度表示させた検索用画面を介した入力によって特定された見出し語と当該見出し語についての意味とを表示画面の少なくとも一部に表示させる処理が行われた場合、当該表示された画面を特定する第１特定データを生成するとともに当該生成した第１特定データを録画している映像データに関連付けて記憶装置に追加記憶することが好ましい。
【００２３】
また、再生手段は、検索用画面が表示画面に再度表示された場合、録画した映像データの再生を中断することが好ましい。
【００２４】
また、表示制御手段は、前記再生指示を前記再生手段が受け付けた場合、追加記憶した第１特定データに基づく見出し語と当該見出し語についての意味とについても、表示画面の少なくとも一部に表示させることが好ましい。
【００２５】
また、本発明の他の局面に従うと、電子機器は、電子辞書の機能を有する電子機器であって、記憶装置に録画した映像データを表示画面に再生する再生手段と、録画した映像データの再生中に、第１指示を受け付けたとき、電子辞書の画面を表示画面に表示させる表示制御手段と、電子辞書の画面のうち所定の画面を表示画面の少なくとも一部に表示させる処理が録画中に行われた場合、当該表示された画面を特定する特定データを生成するとともに当該生成した特定データを録画している映像データに関連付けて記憶装置に記憶する生成手段とを備え、表示制御手段は、録画した映像データを再生させる再生指示を再生手段が受け付けた場合、当該映像データに関連付けて記憶した特定データに基づき、上記所定の画面を前記表示画面に表示させる。
【００２６】
また、特定データは、表示された画面の画像データとは異なるデータ形式のデータである。
【００２７】
また、本発明の他の局面に従うと、表示制御方法は、電子辞書の機能を有する電子機器における表示制御方法であって、受信装置を介して受信した映像データを記憶装置に録画する録画ステップと、記憶装置に録画した映像データを表示画面に再生する再生ステップと、受信した映像データを表示画面に表示させた状態で、当該映像データを録画している場合に、第１指示を受け付けたとき、電子辞書の画面を表示画面に表示させる表示ステップと、電子辞書の画面のうち所定の画面を表示画面の少なくとも一部に表示させる処理が録画中に行われた場合、当該表示された画面を特定する特定データを電子辞書のデータに基づいて生成するとともに、当該生成した特定データを録画している映像データに関連付けて記憶装置に記憶する生成ステップとを含み、表示ステップでは、録画した映像データを再生させる再生指示を受け付けた場合、当該映像データに関連付けて記憶した特定データに基づき、上記所定の画面を表示画面に表示させる。
【００２８】
また、本発明のさらに他の局面に従うと、プログラムは、上記の表示制御方法をコンピュータに実行させるためのプログラムである。
【発明の効果】
【００２９】
録画した映像データを再生する場合、録画時に表示した所定の画面が自動的に表示画面に表示されるため、当該再生中において、電子辞書を用いて上記所定の画面を呼び出すためのユーザの入力作業が不要となる。また、記憶装置に記憶される特定データは辞書画面そのものを示した画像データではないため、画像データ自体を記憶装置に記憶する構成に比べて、記憶するデータの容量を少なくすることが可能となる。
【発明を実施するための最良の形態】
【００３０】
本発明の一実施形態である電子機器について、図１〜図１１に基づいて説明すると、以下の通りである。
【００３１】
図１は、電子機器の概略構成を示した機能ブロック図である。
電子機器１は、同図に示すとおり、入力部１１と、表示部１２と、音声出力部１３と、受信部１４と、メモリ１５と、記憶部１６と、辞書データベース１７と、制御部１８とを備えている。
【００３２】
入力部１１は、ユーザからの入力を受け付けるための入力デバイスである。入力部１１を介してユーザが語句等の入力を行うことにより、メモリ１５に当該入力された語句等が一時的に記憶される。
【００３３】
表示部１２は、制御部１８からの指示に基づき、入力部１１を介して入力されたデータ、および制御部１８における各種の処理の結果を表示するためのデバイスである。
【００３４】
音声出力部１３は、制御部１８からの指示に基づき、音声を出力する。
受信部１４は、テレビ放送やストリームデータ等の映像データを受信し、受信した映像データに対して所定のデータ処理を行う。そして、受信部１４は、処理後の映像データを制御部１８に送る。
【００３５】
メモリ１５は、入力部１１を介して入力されたデータ、制御部１８により処理されるデータ、および制御部１８により処理されている途中のデータ等を、一時的に記憶する。例えば、メモリ１５は、制御部１８が辞書データベース１７から読み出した後述する辞書データを一時記憶する。
【００３６】
記憶部１６は、受信部１４で受信したデータや、その他各種のデータを記憶する。なお、記憶部１６へのデータの記憶（書き込み）および記憶したデータの読み出しは、制御部１８により行われる。なお、以下では、記憶部１６に記憶されるデータが映像データである場合には、記憶という用語の代わりに録画という用語を用いる。
【００３７】
辞書データベース１７には、予め各種の辞書データが記憶されている。辞書データベース１７には、例えば、国語辞典、漢和辞典、英和辞典、和英辞典、百科事典等の辞書データが記憶されている。
【００３８】
制御部１８は、電子機器１の各種の動作を制御する。また、制御部１８は、表示制御部２１と、録画部２２と、再生部２３と、生成部２４と、第１指定部２５と、第２指定部２６と、測定部２７とを備えている。なお、制御部１８および制御部１８内の各部は機能ブロックであり、これらのブロックにおける処理は、後述するＣＰＵにより実行されるソフトウェアによって実現される。
【００３９】
ここで、制御部１８の各機能ブロックについて、説明する。
表示制御部２１は、表示部１２に表示させる表示内容を制御する。例えば、受信部１４を介してテレビ放送を受信した場合には、表示制御部２１は、当該テレビ放送を表示部１２に表示させる。また、制御部１８によって辞書機能が動作している場合には、表示制御部２１は、辞書の画面を表示部１２に表示させる。
【００４０】
また、表示制御部２１は、受信した映像データを表示部１２の表示画面に表示させた状態で、当該映像データを録画部２２によって録画している場合に、所定の指示（第１指示）を受け付けたとき、電子辞書における検索用画面を表示画面に表示させる。
【００４１】
ここで、上記の所定の指示とは、例えば、ユーザによる入力部１１を介した電子辞書を起動する指示（例えば、辞書起動用の操作キーの押下）や、辞書が既に起動している状態での入力部１１を介した検索用画面を呼び出す指示等が挙げられる。また、検索用画面とは、ユーザが語句等の意味を調べるために、ユーザから文字や文字列等の入力（音声入力を含む）を受け付けるために表示される画面（例えば図２や図３に示した画面）をいう。なお、表示制御部２１のその他の動作については、後述する。
【００４２】
録画部２２は、受信部１４を介して受信した映像データを記憶部１６に録画する。より詳しくは、録画部２２は、映像データを録画する指示を入力部１１を介して受け付けた場合、録画を停止する指示を入力部１１が受け付けるまで、映像データを記憶部１６に録画する。
【００４３】
再生部２３は、記憶部１６に録画した映像データを表示部１２に再生する。より詳しくは、再生部２３は、録画した映像データを再生する指示を入力部１１を介して受け付けた場合、記憶部１６から映像データを順次読み出すとともに、読み出した映像データを表示制御部２１を利用して表示部１２に表示させる。なお、録画したどの映像データを再生するか、映像データのどの部分から再生するかについては、ユーザによる入力部１１を介した指示に基づいて決定される。
【００４４】
生成部２４は、辞書の検索用画面を介した入力によって特定された見出し語と当該見出し語についての意味とを表示部１２の少なくとも一部に表示させる処理が表示制御部２１によって行われた場合、当該表示された画面を特定するデータ（以下、第１特定データ）を辞書データベース１７内の辞書のデータに基づいて生成する。つまり、入力部１１を介したユーザの入力によって、見出し語が特定されるとともに当該特定された見出し語と当該見出し語についての意味とを表示部１２の少なくとも一部に表示させる処理が行われると、生成部２４は上記第１特定データを生成する。
【００４５】
ここで、見出し語が特定されるとは、電子機器１の制御部１８が、例えばユーザによる検索用画面を用いた語句等の入力により、電子機器１内で一つの見出し語が指定された状態を指す。例えば、ユーザが検索用画面を用いて見出し語そのものを入力した場合や、見出し語そのものを入力していないが辞書機能の一つである前方一致検索機能等を用いて、見出し語の候補を表示するとともに、候補のひとつを予め指定している場合等が挙げられる。
【００４６】
また、生成部２４は、上記生成した第１特定データを録画している映像データに関連付けて記憶部１６に記憶する。
【００４７】
なお、見出し語とは、辞書で項目を示すために掲げられた語をいう。また、本実施の形態においては、見出し語には、成句や複合語等の辞書において項目として表示可能な語句が含まれるものとする。
【００４８】
このように、生成部２４は、録画後において、見出し語と当該見出し語についての意味を表示可能とするために、当該見出し語と当該見出し語についての意味とを記した情報の所在を辞書データベース内において特定するための第１特定データを生成する。
【００４９】
また、生成された第１特定データは、記憶部１６に予め記憶された所定のデータテーブルを用いて制御部１８により管理される。つまり、生成部２３によって、データテーブル内の各項目の欄に、当該欄に対応する生成した第１特定データの各要素データが記憶される。なお、データテーブルの詳細については後述する。
【００５０】
さらに、生成部２４は、後述するプレビュー機能オフの状態でリスト表示がされた場合、見出し語の例文が表示された場合、見出し語を解説するため画像（図や写真）が表示された場合、および見出し語を解説するための音声出力がなされた場合の少なくとも１つ以上がなされた場合には、これらの動作（表示・音声出力）を特定するためのデータ（以下、第２特定データ）を辞書データに基づき生成する。
【００５１】
つまり、上記例文、画像、および音声といったデータを辞書データベース１７から出力可能とするために、これら各種の情報の所在を辞書データベース１７内において特定するための第２特定データを生成する。なお、生成された第２特定データも、上記第１特定データと同様に、上記所定のデータテーブルを用いて制御部１８により管理される。
【００５２】
ここで、録画中において、辞書画面に切り替わった後、映像データを再表示するまでの間については、上記所定のデータテーブルとして一つのデータテーブルのみが用いられる。つまり、上記の間に、例えば第１特定データが生成された後に第２特定データが生成される場合、第１特定データの各要素データが記憶されたデータテーブルの各項目の欄に、第２特定データの各要素データが追加記憶される。また、上記の間に、例えば第２特定データが生成された後に第１特定データが生成される場合、第２特定データの各要素データが記憶されたデータテーブルの各項目の欄に、第１特定データの各要素データが追加記憶される。
【００５３】
また、当該一つのデータテーブルにおいては、時系列に沿って第１特定データと第２特定データとが記憶される。つまり、生成された順に、第１特定データと第２特定データとが記憶される。
【００５４】
なお、上記の間に、第１特定データが複数生成された場合、あるいは第２特定データが複数生成された場合の処理も、第１特定データが生成された後に第２特定データが生成される場合の処理と同様である。
【００５５】
ここで、再度辞書画面に切り替わった場合には、見出し語と当該見出し語についての意味とが表示画面の少なくとも一部に表示等されると、上述したデータテーブルとは別のデータテーブルが生成される。つまり、この場合、同形式のデータテーブルが２つ生成される。また、このように複数のデータテーブルが生成される場合、生成された時系列に応じて、データテーブルは制御部１８によって管理される。
【００５６】
なお、データテーブルの詳細、第１特定データの詳細、および第２特定データの詳細については、後述する。
【００５７】
また、電子機器１においては、検索に際しては、辞書データベース１７に記憶されている複数の辞書を用いて検索する一括検索、検索用画面において文字を入力するたびに候補を絞り込みながら表示する絞込検索、または表示画面を残したまま別の見出し語の意味を表示する検索を用いることができる。生成部２４は、このような検索の種別を示した種別データを上記第２特定データに含めてもよい。
【００５８】
第１指定部２５は、電子機器１における辞書機能がプレビューモードとして機能している場合に用いられる機能ブロックである。第１指定部２５は、見出し語がリストとして複数表示されている場合、ユーザによる入力部１１を介した見出し語を指定する入力があれば、当該入力に基づき複数の見出し語の中から一つの見出し語を指定する。
【００５９】
ここで、プレビューモードについて図２に基づいて説明する。なお、以下では、電子機器１において検索対象となる言語が日本語である場合を例に挙げて説明する。ただし、日本語は一例であって、これに限定されるものではない。
【００６０】
図２は、プレビューモードにおいて、上記検索用画面を介して入力を行っている状態を示した図である。
【００６１】
プレビューモードでは、表示制御部２１は、辞書データベース１７を参照し、図２に示すとおり入力した平仮名またはカタカナと完全一致または前方一致する見出し語のリストを表示部１２の表示画面に表示する。なお、同図では、完全一致した見出し語のみのリストが表示されている。さらに、プレビューモードでは、表示制御部２１は、辞書データベース１７を参照し、リスト表示された見出し語のうち一つの見出し語（特定された見出し語）と当該見出し語についての意味の全部または一部とを上記表示画面の一部領域に表示（プレビュー表示）する。ここで意味を表示する場合、表示制御部２１は、まず、リストの一番最初に表示された見出し語の意味を表示する。同図では、「鯛」といった見出し語と当該見出し語についての意味とが表示された例を示している。
【００６２】
そして、入力部１１を介して見出し語を決定する入力があった場合、表示制御部２１は、リスト表示を非表示とし、意味がプレビュー表示されている見出し語についてプレビュー表示の表示領域よりも広い表示領域を用いて見出し語の意味を表示する。
【００６３】
なお、以下では、意味が表示された画面を詳細画面とも称する。また、詳細画面のうち、上記のようにリスト表示を非表示として見出し語の意味を表示した画面を、リスト非表示詳細画面と称する。さらに、詳細画面のうち、上記のようにリスト表示を行うとともに見出し語の意味を表示した画面を、リスト表示詳細画面と称する。なお、リスト表示詳細画面におけるプレビュー表示の表示領域を、プレビュー画面と称する。
【００６４】
図３は、リスト内における他の見出し語を指定した場合における表示画面の状態を示した図である。
【００６５】
第１指定部２５により他の見出し語が指定された場合には、図３に示すとおり、表示制御部２１は、当該指定した見出し語と当該見出し語についての意味とを表示画面の一部領域に表示する。なお、同図では、「対」といった見出し語と当該見出し語についての意味とが表示された例を示している。
【００６６】
なお、電子機器１においては、ユーザからの入力部１１を介した所定の入力により、表示制御部２１はプレビュー機能をオン・オフすることが可能である。これにより、電子機器１では、表示画面におけるリスト表示詳細画面の有無を切り替えることができる。
【００６７】
また、プレビュー機能をオフにした状態で検索を行う場合には、上述したリスト表示はなされるものの、リスト表示と同時に特定された見出し語の意味の表示はなされない。この場合、入力部１１を介して見出し語についての意味を表示させる入力を表示制御部２１が受け付けることにより、当該見出し語についての意味が表示画面に表示されることになる。
【００６８】
第２指定部２６は、後述するジャンプ機能と呼ばれる機能を実行する際に用いられる機能ブロックである。第２指定部２６は、上記のリスト非表示詳細画面において、ユーザから入力部１１を介した語句を指定する入力があれば、表示された見出し語についての意味を記した内容に含まれる特定の語句のうち一つの語句を指定する。つまり、第２指定部２６は、特定された見出し語についての意味が表示部１２の表示画面に表示されている場合、表示された内容に含まれる特定の語句のうち一つの語句を指定する。ここで、ジャンプ機能について説明する。
【００６９】
図４は、リスト非表示詳細画面の一例を示した図である。
リスト非表示詳細画面において示された見出し語についての意味を記した内容（ここでは文字列）には、通常、辞書データベース１７において見出し語として定義されている語句（以下では、説明の便宜上、見出し語相当語句と称する）が含まれている。例えば、図４の場合には、「バロック」、「音楽」、「ウィーン」…といった見出し語相当語句が、古典派音楽といった見出し語についての意味を記した内容に含まれている。
【００７０】
ここで、見出し語相当語句のうち一つの語句を指定する入力が入力部１１を介して入力された場合、第２指定部２６は、当該入力に基づき一つの見出し語相当語句を指定する。この場合において、当該指定した語句についての意味を表示させる入力が入力部１１を介して入力された場合、表示制御部２１は、当該指定された見出し語相当語句についての意味を表示画面の少なくとも一部に表示させる。
【００７１】
図５は、ジャンプ機能を実行した後の表示画面を示した図である。つまり、同図は、指定された見出し語相当語句の意味を少なくとも一部に表示させた表示画面を示した図である。
【００７２】
例えば、「バロック」といった見出し語相当語句を指定する入力を入力部１１が受け付けた場合、図５に示すとおり、「バロック」といった語句の意味が表示画面に表示される。なお、「バロック」といった語句の意味を表示する際に、現在使用している辞書とは別の辞書を用いて、当該語句の意味を表示させてもよい。例えば、国語辞典を使用している場合、「バロック」といった語句の意味を表示する場合、百科事典を用いて当該語句の意味を表示させてもよい。
【００７３】
以上のように、表示制御部２１は、所定の指示（第２指示）を受け付けた場合、第２指定部２６により指定された見出し語相当語句と、当該見出し語相当語句についての意味とを、表示画面の少なくとも一部に表示させる。ここで、上記所定の指示としては、第２指定部２６により見出し語相当語句が指定された状態において、当該見出し語相当語句についての意味を表示画面に表示させるための、ユーザによる入力部１１を介した指示（例えば、入力部１１を構成する検索／決定キーの押下）が挙げられる。
【００７４】
ところで、上記においては、ジャンプ機能として、第２指定部２６によって指定した見出し語についての意味を表示する機能を例に挙げたが、これに限定されるものではない。例えば、ジャンプ機能には、見出し語の意味が表示されている状態から、当該見出し語の例文が示された画面に遷移する機能も含まれる。さらに、ジャンプ機能には、当該見出し語を解説するための画像（図や写真）が示された画面に遷移する機能、あるいは、当該見出し語を解説するための音声を出力する機能も含まれる。つまり、上記ジャンプ機能には、上述した見出し語の意味を示した画面（つまり、詳細画面）以外の画面表示や音声出力によって、当該見出し語を説明する機能も含まれる。
【００７５】
測定部２７は、録画部２２によって映像データの録画を行っている場合、上記特定された見出し語と当該見出し語についての意味とを表示画面の少なくとも一部に表示させた時間を測定する。つまり、測定部２７は、映像データを表示した画面（例えば、テレビ放送表示画面）の代わりに、辞書画面が表示された時間のうち上記特定された見出し語と当該見出し語についての意味とが表示された時間を測定する。さらに言い換えると、測定部２７は、上述した詳細画面が表示されている時間を測定する。
【００７６】
また、測定部２７が上記時間を測定した場合、生成部２４は、当該測定した表示時間のデータを、測定開始時刻と測定終了時刻とともに、上記第１特定データとして映像データに関連付けて記憶部１６に記憶させる。
【００７７】
さらに、測定部２７は、プレビュー機能オフの状態でリスト表示がされた場合、見出し語の例文が表示された場合、見出し語を解説するため画像が表示された場合、および見出し語を解説するための音声出力がなされた場合の少なくとも１つ以上がなされた場合には、これらの動作が実行されている時間を測定し、測定開始時刻と測定終了時刻とともに当該測定時間を上記第２特定データとして映像データに関連付けて記憶する。
【００７８】
なお、以下では、説明の便宜上、上記映像データとしてテレビ放送を例に挙げて説明する。また、測定部２７が、録画開始時刻を０時０分０秒とし、上記時間を測定する構成を例に挙げて説明する。
【００７９】
ここで、図６を参照して、本実施の形態に係る電子機器１の具体的構成の一態様について説明する。同図は、電子機器１として機能するコンピュータシステム１００のハードウェア構成を表わすブロック図である。
【００８０】
コンピュータシステム１００は、主たる構成要素として、プログラムを実行するＣＰＵ１１０と、コンピュータシステム１００の使用者による指示の入力を受けるマウス１２０およびキーボード１３０と、ＣＰＵ１１０によるプログラムの実行により生成されたデータ、又はマウス１２０若しくはキーボード１３０を介して入力されたデータを揮発的に格納するＲＡＭ１４０と、データを不揮発的に格納するハードディスク１５０と、ＣＤ−ＲＯＭ（Compact Disk-Read Only Memory）駆動装置１６０と、モニタ１７０と、通信ＩＦ（Interface）１８０と、スピーカ１９０と、チューナ２００とを含む。各構成要素は、相互にデータバスによって接続されている。ＣＤ−ＲＯＭ駆動装置１６０には、ＣＤ−ＲＯＭ１６１が装着される。
【００８１】
なお、電子機器１における入力部１１がキーボード１３０およびマウス１２０に該当し、表示部１２がモニタ１７０に該当し、記憶部１６および辞書データベース１７がハードディスク１５０に該当し、メモリ１５がＲＡＭ１４０し、音声出力部１３がスピーカに該当し、受信部１４がチューナ２００に該当する。
【００８２】
コンピュータシステム１００における処理は、各ハードウェアおよびＣＰＵ１１０により実行されるソフトウェアによって実現される。このようなソフトウェアは、ハードディスク１５０に予め記憶されている場合がある。また、ソフトウェアは、ＣＤ−ＲＯＭ１６１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＣＤ−ＲＯＭ駆動装置１６０その他の読取装置によりその記憶媒体から読み取られて、あるいは、通信ＩＦ１８０を介してダウンロードされた後、ハードディスク１５０に一旦格納される。そのソフトウェアは、ＣＰＵ１１０によってハードディスク１５０から読み出され、ＲＡＭ１４０に実行可能なプログラムの形式で格納される。ＣＰＵ１１０は、そのプログラムを実行する。
【００８３】
同図に示されるコンピュータシステム１００を構成する各構成要素は、一般的なものである。したがって、本発明の本質的な部分は、ＲＡＭ１４０、ハードディスク１５０、ＣＤ−ＲＯＭ１６１その他の記憶媒体に格納されたソフトウェア、あるいはネットワークを介してダウンロード可能なソフトウェアであるともいえる。なお、コンピュータシステム１００の各ハードウェアの動作は周知であるので、詳細な説明は繰り返さない。
【００８４】
なお、記録媒体としては、ＣＤ−ＲＯＭ、ＦＤ（Flexible  Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを含む）、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。
【００８５】
ここでいうプログラムとは、ＣＰＵにより直接実行可能なプログラムだけでなく、ソースプログラム形式のプログラム、圧縮処理されたプログラム、暗号化されたプログラム等を含む。
【００８６】
ところで、上記構成は、あくまでも具体的構成の一態様にすぎず、上記マウスを備えず、かつ、キーボードとモニタとハードディスクとが電子機器１内に備えられている構成であってもよい。電子機器１は、電子辞書や携帯電話等のポータブル型の携帯情報端末としても構成できる。
【００８７】
このような携帯情報端末として電子機器１を構成する場合には、ハードディスク１５０の代わりに例えばフラッシュメモリを用いることができる。また、入力部１１として、タッチペン式の入力装置を備える構成としてもよい。さらに、小型化の観点から、モニタ１７０としては、液晶モニタや有機ＥＬモニタ等の薄型のモニタを使用することが好適である。また、小型化の観点から、ＣＤ−ＲＯＭ駆動装置の代わりにメモリカードを読み取る装置を設けておき、記録媒体としてＣＤ−ＲＯＭの代わりに当該メモリカードを用いることが好適である。
【００８８】
図７は、受信したテレビ放送を表示画面に表示するとともに当該テレビ放送を録画している際に、ユーザが辞書機能を用いて語句の意味を調べた場合の表示画面の遷移を示した図である。
【００８９】
図７における１つ目の状態は、受信したテレビ放送を表示画面に表示するとともに、当該テレビ放送を録画している際の図である。また、同図における２つ目の状態は、１つ目の状態から所定時間経過したときのテレビ放送の画面（以下、テレビ画面）を示した図である。
【００９０】
ここで、表示制御部２１によりテレビ画面に代わり辞書画面が表示された場合、図７における３つ目の状態のように、見出し語が特定されて当該見出し語と当該見出し語についての意味とが表示画面の少なくとも一部に表示されると、生成部２４は、上述したように第１特定データを生成し、当該生成した第１特定データを録画対象となっているテレビ放送の録画データと関連付けて記憶部１６に記憶する。
【００９１】
また、第１特定データの上記関連付けは、テレビ画面から辞書画面に切り替える直前に表示されていたテレビ映像に対して行われる。このテレビ映像との関連付けについては、当該テレビ映像を特定できる方法であれば、その方法は特に限定されない。例えば、録画開始からの経過時間に基づいて、第１特定データとテレビ映像との関連付けを行うことができる。また、直前に表示されていたテレビ映像に対して、特定のフラグを付して、第１特定データとテレビ映像との関連付けをおこなってもよい。なお、第１特定データの上記関連付けは、テレビ画面から辞書画面に切り替わった直後に受信されたテレビ映像に対して行ってもよい。
【００９２】
図７における３つ目の状態は、より具体的には、リスト表示がされており、かつ特定された見出し語と当該見出し語についての意味とが表示された、一括検索における辞書画面を示している。この３つ目の状態は、「ばりう」としか入力されていないが前方一致検索により「バリウム」等の語句が検索されてリスト表示されるともに、リストの一番上に表示された「バリウム」の意味が表示画面の少なくとも一部に表示された状態を示した図である。
【００９３】
この場合、測定部２７は、特定された見出し語「バリウム」についての意味を表示画面の少なくとも一部に表示させた時間の測定を開始する。さらに、同図には示していないが、さらに表示画面がリスト非表示詳細画面に移行し場合や、例文表示画面に移行した場合には、生成部２４は上述した第２特定データを生成する。この場合、各画面が表示された時間を測定部２７が上述した時間の測定を開始する。
【００９４】
ここで、辞書画面から、再度テレビ表示の画面に切り替わった場合（図７における４つ目の状態）には、測定部２７による上述した時間の測定を終了し、第１特定データと第２特定データとに、計測した時間のデータをそれぞれ関連付ける。
【００９５】
そして、辞書画面から、再度テレビ画面に切り替わった場合には、記憶部１６に録画した映像データに基づいて、表示制御部２１は、タイムシフト再生（ここでは、録画しながら再生）を行う。つまり、受信したテレビ放送をリアルタイムに表示するのではなく、辞書画面に切り替わった時点において録画されたデータを起点として、時間的に遅延して、録画したテレビ放送を再生する。これにより、ユーザは、辞書画面が表示されていることによってリアルタイムに視聴ができなかったテレビ放送の部分についても、時間的に遅れて視聴可能となる。なお、図７の５つ目の状態は、テレビ放送の録画が終了する直前のテレビ画面である。
【００９６】
図８は、上記データテーブルを示した図である。図８（ａ）は上記データテーブルの一例、図８（ｂ）は上記データテーブルの他の例を示した図である。なお、上述したように、データテーブルの生成（つまり、第１特定データおよび／または第２特定データのデータテーブルへの記憶）は、生成部２４により行われる。
【００９７】
図８（ａ）および（ｂ）に示すとおり、データテーブルには、辞書種別と、番組名と、関連付け画像と、開始時刻と、終了時刻と、時間と、見出し語と、内容とが記憶される。
【００９８】
辞書種別の欄には、録画中にテレビ画面から切り替えた辞書の種別が記憶される。例えば、録画中にテレビ画面から中日辞典の画面に切り替えたときは、当該種別の欄に、中日辞典を特定する識別子が記憶される。なお、図８（ａ）では、当該識別子として「中日辞典」といった情報が記憶された状態を示している。
【００９９】
番組名の欄には、表示画面に表示されている（ユーザが視聴している）とともに録画しているテレビ放送の番組名を示したデータが記憶される。例えば、当該番組名の欄に、当該録画している番組を特定する識別子が記憶される。なお、図８（ａ）では、当該識別子として「中国語会話」といった情報が記憶された状態を示している。
【０１００】
関連付け画像の欄には、テレビ画面から辞書画面に切り替える直前に表示されていたテレビ映像を特定する識別子（図８（ａ）においては「Ａ」）が記憶される。
【０１０１】
開始時刻には、見出し語の意味を記した内容の表示（詳細表示）を開始した時刻、プレビュー機能オフの状態でリスト表示を開始した時刻、見出し語の例文の表示を開始した時刻、見出し語を解説するため画像の表示を開始した時刻、および見出し語を解説するための音声出力を開始した時刻等が記憶される。また、詳細表示を開始した時刻としては、リスト表示詳細画面（プレビュー表示の画面）の表示を開始した時刻と、リスト非表示詳細画面の表示を開始した時刻とが記憶される。
【０１０２】
終了時刻には、上記見出し語の意味を記した内容の表示（詳細表示）を終了した時刻、プレビュー機能オフの状態でリスト表示を終了した時刻、見出し語の例文の表示を終了した時刻、見出し語を解説するため画像の表示を終了した時刻、および見出し語を解説するための音声出力を終了した時刻等が記憶される。また、詳細表示を終了した時刻としては、リスト表示詳細画面の表示を終了した時刻と、リスト非表示詳細画面の表示を終了した時刻とが記憶される。
【０１０３】
なお、上述したように、上記開始時刻と上記終了時刻とについては、テレビ放送の録画を開始した時点を０時０分０秒として時刻を算出する。ただし、これに限定されるものではない。
【０１０４】
時間の欄には、上記の各表示や出力に関し、上述した終了時刻と開始時刻との差分が記憶される。なお、当該差分の計算は、生成部２４により行われる。
【０１０５】
見出し語の欄には、検索用画面で特定された見出し語を特定する識別子（図８（ａ）の場合には「バリウム」）が記憶される。
【０１０６】
内容の欄には、リスト表示詳細画面の表示、リスト非表示詳細画面の表示、プレビュー機能オフの状態でのリスト表示、見出し語の例文の表示、見出し語を解説するため画像の表示、および見出し語を解説するための音声出力といった各動作を特定するデータが記憶される。
【０１０７】
なお、図８（ａ）においては、リスト表示詳細画面とリスト非表示詳細画面とに関連する項目が上記第１特定データに対応し、例文と画像とに関連する項目が第２特定データに対応する。なお、同図の場合、辞書種別、番組名、および画像に関するデータは、第１特定データと第２特定データとで共通のデータとなっている。ただし、このようなデータ形式に限定されるものではない。
【０１０８】
以上のように、第１特定データおよび第２特定データは、表示された画面の画像データ（つまり、画面そのものを構成する画像データ）とは異なるデータ形式のデータであるといえる。
【０１０９】
ここで、上記録画したテレビ放送を再生する際に、表示画面に表示される内容について説明する。
【０１１０】
入力部１１を介して再生指示を受け付けると、再生部２３は、指示を受けた録画データの再生を開始する。再生指示を再生部２３が受け付けた場合、表示制御部２１は、当該録画しデータに関連付けて記憶したデータテーブル（第１特定データ）に基づき、見出し語と当該見出し語についての意味とを表示画面に表示させる。
【０１１１】
この際、表示制御部２１は、見出し語と当該見出し語についての意味については、以下のように表示する。
【０１１２】
まず、表示制御部２１は、再生部２３が再生したテレビ放送を表示部１２に表示させる。ここで、上記データテーブルにおいて示された上記関連付け画像が再生された直後（あるいは、再生される直前）に、表示制御部２１は、テレビ放送の再生を一旦停止し、データテーブルに記憶された情報に基づき辞書画面を表示する。
【０１１３】
ここで、表示される辞書画面について、具体例を挙げて説明する。なお、以下では、上記データテーブルとして、上述した図８（ａ）のようなデータテーブルが記憶部１６に記憶されている例について説明する。
【０１１４】
この場合、表示制御部２１は、まず、中日辞典において、見出し語「バリウム」についてリスト表示詳細画面の表示を行う。つまり、表示制御部２１は、録画時にリスト表示詳細画面として表示した内容と同じ内容を、表示画面に表示させる。なお、当該表示は、データテーブルの時間の欄に記憶された時間だけ行う。
【０１１５】
その後、表示制御部２１は、見出し語「バリウム」についてリスト非表示詳細画面の表示を行う。なお、当該表示についても、当該リスト非表示詳細画面に対応した、データテーブルの時間の欄に記憶された時間だけ行う。
【０１１６】
その後、表示制御部２１は、見出し語「バリウム」についての例文の表示を行い、さらに、見出し語「バリウム」について解説した画像（以下、解説画像）の表示を行う。これらの表示についても、データテーブルの時間の欄に記憶された時間だけ行う。
【０１１７】
以上のように、表示制御部２１が、リスト表示詳細画面の表示、リスト非表示詳細画面の表示、例文の表示、および解説画像の表示を、この順に行った後は、再生部２３が、上記関連付け画像から順に録画データの再生を再開する。そして、表示制御部２１は、再生部２３が再生したテレビ放送を、表示部１２の表示画面に表示させる。
【０１１８】
また、図８（ｂ）に示した上記関連付け画像を再生した直後（あるいは直前）についても、上述した処理と同様な処理が、図８（ｂ）に記したデータテーブルに基づいて実行される。
【０１１９】
図８（ａ）（ｂ）に示すとおり、データテーブルが複数存在する場合には、生成された順に、データテーブルが記憶部１６から読み出されることになる。
【０１２０】
以上のように、電子機器１は、電子辞書の機能を有する電子機器であって、受信部１４を介して受信したテレビ放送を記憶部１６に録画する録画部２２と、記憶部１６に録画したテレビ放送を表示部１２の表示画面に再生する再生部２３とを備える。また、電子機器１は、受信したテレビ放送を表示画面に表示させた状態で、当該テレビ放送を録画部２２によって録画している場合に、第１指示を受け付けたとき、電子辞書における検索用画面を表示画面に表示させる表示制御部２１を備える。さらに、電子機器１は、検索用画面を介した入力によって特定された見出し語と当該見出し語についての意味とを表示画面の少なくとも一部に表示させる処理が録画中に行われた場合、当該表示された画面を特定する第１特定データを電子辞書のデータに基づいて生成するとともに、当該生成した第１特定データを録画しているテレビ放送に関連付けて記憶部１６に記憶する生成部２４とを備える。そして、電子機器１においては、表示制御部２１は、録画したテレビ放送を再生させる再生指示を再生部２３が受け付けた場合、当該テレビ放送に関連付けて記憶した第１特定データに基づき、見出し語についての意味を表示画面に表示させる。
【０１２１】
ここで、特定された見出し語についての意味の表示については、上述した詳細画面の表示であれば、リスト表示詳細画面における表示であっても、リスト非表示詳細画面における表示であってもよい。
【０１２２】
以上のような構成により、電子機器１においてユーザがテレビ番組を視聴している際に、当該番組で放送された内容に関連する語句の意味を電子機器１の辞書機能を用いて調べた場合、以下の効果を得られる。
【０１２３】
まず、タイムシフト再生を行うため、視聴している番組の内容を漏らさず視聴することができる。また、後日、録画した番組を再生して視聴する場合、録画時にユーザが調べた語句等の意味が自動的に画面に表示されるため、当該視聴中に再度当該語句の意味を辞書機能を用いて調べる必要性がなくなる。このため、ユーザにとって語句等の意味について、容易に再度学習（つまり復習）することが可能となる。
【０１２４】
また、記憶部１６に記憶される第１特定データは、辞書画面を特定するテキストデータであって、辞書画面そのものを示した画像データではない。したがって、画像データそのものを記憶部１６に記憶する構成に比べて、記憶するデータの容量を少なくすることが可能となる。
【０１２５】
ここで、上述したように、特定された見出し語についての意味の表示には、第１指定部２５によって指定された見出し語の意味を表示画面の少なくとも一部に表示させ場合も含まれる。
【０１２６】
したがって、ユーザが、リスト表示詳細画面において他の見出し語を指定し、当該指定した見出し語についての意味が表示された場合についても、第１特定データが生成される。このため、当該他の見出し語と当該見出し語についての意味とについても、録画したテレビ放送を再生する際に表示可能となる。
【０１２７】
また、上述したように、特定された見出し語についての意味の表示には、第２指定部２６によって指定された語句の意味を前記表示画面の少なくとも一部に表示させた場合も含まれる。つまり、ジャンプ機能を用いて、別の語句等の意味を示した場合も含まれる。
【０１２８】
したがって、特定された見出し語の意味が前記表示画面に表示されている場合、表示された内容に含まれる特定の語句のうち一つの語句の意味が表示画面の少なくとも一部に表示された場合についても、第１特定データが生成される。このため、表示された内容に含まれる特定の語句の意味についても、録画したテレビ放送を再生する際に、表示可能となる。
【０１２９】
また、電子機器１においては、第１特定データが複数生成された場合、録画したテレビ放送を再生するとき、生成された順序で辞書画面が表示画面に表示される構成であるため、ユーザは順を追って語句等の意味を再度確認することができる。
【０１３０】
また、電子機器１においては、第１特定データのみならず第２特定データについても上記データテーブルに含めて記憶される構成である。このため、録画したテレビ放送を再生する場合、見出し語についての意味が表示されるだけでなく、プレビュー機能オフの状態でのリスト表示、見出し語の例文表示、見出し語を解説するため画像表示、および見出し語を解説するための音声出力が可能となる。したがって、見出し語と当該見出し語についての意味とをだけを表示する場合に比べて、ユーザにとって復習の効果が一層増す。
【０１３１】
次に、電子機器１における上述した処理のフローについて説明する。
図９は、テレビ放送を表示画面に表示した後に、当該テレビ放送を録画の開始をした場合において、辞書画面が表示されたときの処理のフローを示したフローチャートである。
【０１３２】
まず、受信部１４が受信したテレビ放送に基づき、表示制御部２１によって表示部１２の表示画面にテレビ画面が表示される（Ｓ１）。ステップＳ１の後は、入力部１１を介したユーザからの指示により、録画部２２がテレビ放送の録画を開始する（Ｓ２）。ステップＳ２の後は、録画部２２による録画が終了したか否かが制御部１８によって判断される（Ｓ３）。ステップＳ３において録画が終了したと判断された場合には、処理を終了する。一方、ステップＳ３において録画が終了していないと判断された場合には、テレビ画面から辞書画面に切り替えれたか否かが制御部１８により判断される（Ｓ４）。
【０１３３】
ステップＳ４において辞書画面に切り替えられたと判断されなかった場合は、再度、ステップＳ３に戻る。一方、ステップＳ４において辞書画面に切り替えられたと判断された場合には、新たな見出しの語の入力が開始されたか否かが制御部１８により判断される（Ｓ５）。ステップＳ５において新たな見出し語の入力が開始されていないと判断された場合には、ステップＳ１４に進む。一方、ステップＳ５において新たな見出し語の開始がなされたと判断された場合には、見出し語の特定を行う（Ｓ６）。
【０１３４】
ステップＳ６において見出し語の特定が行われた後は、見出し語と当該見出し語についての意味とを表示画面の少なくとも一部に表示させる処理が行われた行われたか否かが、制御部１８により判断される（Ｓ７）。ステップＳ７において上記処理が行われたと判断された場合には、測定部２７によって、上記見出し語と当該見出し語についての意味とを表示画面の少なくとも一部に表示させている時間の測定を開始する（Ｓ８）。一方、ステップＳ７において上記処理が行われなかったと判断された場合には、上述したジャンプ機能が実行されたか否かが制御部１８により判断される（Ｓ９）。
【０１３５】
ステップＳ９においてジャンプ機能が実行されたと判断された場合には、ステップＳ８に進む。一方、ステップＳ９においてジャンプ機能が実行されなかったと判断された場合には、ステップＳ１４に進む。
【０１３６】
ステップＳ８の後は、生成部２４によりデータテーブルが生成される（Ｓ１０）。例えば、見出し語と当該見出し語について意味とが表示された場合には、第１特定データが生成されるとともに、データテーブルに当該第１特定データが記憶される。また、プレビュー機能オフの状態でリスト表示がされた場合、見出し語の例文が表示された場合、見出し語を解説するため画像が表示された場合、および見出し語を解説するための音声出力がなされた場合の少なくとも１つ以上がなされた場合には、第２特定データが生成されるとともに、データテーブルに当該第２特定データが記憶される。
【０１３７】
ステップＳ１０の後は、見出し語と当該見出し語についての意味との表示、プレビュー機能オフの状態でリスト表示、見出し語の例文表示、見出し語を解説するため画像表示、および見出し語を解説するための音声出力が終了したか否かが、制御部１８により判断される（Ｓ１１）。ステップＳ１１において終了したと判断された場合には、測定部２７による表示時間の測定を終了する（Ｓ１２）。一方、ステップＳ１１において終了していないと判断された場合には、再度、ステップ１１に戻る。
【０１３８】
ステップＳ１２の後は、測定部２７により測定した表示時間を、生成部２４が上記データテーブルに記憶する（Ｓ１３）。ステップＳ１３の後は、辞書画面からテレビ画面に切り替えられたか否かが制御部１８により判断される（Ｓ１４）。
【０１３９】
ステップＳ１４においてテレビ画面に切り替わったと判断された場合には、表示制御部２１はテレビ画面を表示させる（Ｓ１５）。一方、ステップＳ１４においてテレビ画面に切り替っていないと判断された場合には、再度、ステップＳ５に戻る。ステップＳ１５の後は、録画部２２による録画が終了したか否かが制御部１８によって判断される（Ｓ１６）。ステップＳ１６において録画が終了したと判断された場合には、処理を終了する。一方、ステップＳ１６において録画が終了していないと判断された場合には、再度、ステップＳ４に戻る。
【０１４０】
図１０は、録画したテレビ放送を再生する際の処理のフローを示したフローチャートである。
【０１４１】
まず、再生部２３によって、録画したテレビ放送の再生が開始される（Ｓ２１）。ステップＳ２１の後は、上記録画したテレビ放送に関連付けて記憶部１６に記憶されたデータテーブルが制御部１８により、一つ読み出される（Ｓ２２）。ステップＳ２２の後は、録画データに基づいて、表示部１２においてテレビ画面が表示される（Ｓ２３）。ステップＳ２３の後は、制御部１８により、読み出したデータテーブルを参照し、辞書画面への切り替え時間が到来したか否かが判断される（Ｓ２４）。
【０１４２】
ステップＳ２４において辞書画面への切り替え時間が到来したと判断された場合には、表示制御部２１により、録画データの再生が中断される（Ｓ２５）。一方、ステップＳ２４において辞書が面への切り替え時間が到来していないと判断された場合には、再度、ステップＳ２３に戻る。ステップＳ２５の後は、表示制御部２１により、上記データテーブルに基づいて辞書画面が表示される（Ｓ２６）。例えば、データテーブルに第１特定データが記憶されている場合には、見出し語と当該見出し語についての意味とを示した画面が表示される。
【０１４３】
そして、ステップＳ２６の後は、制御部１８により、読み出したデータテーブルを参照し、テレビ画面への切り替え時間が到来したか否かが判断される（Ｓ２７）。ステップＳ２７においてテレビ画面への切り替え時間が到来したと判断された場合には、表示制御部２１により辞書画面が非表示となる（Ｓ２８）。一方、ステップＳ２７においてテレビ画面への切り替え時間が到来していないと判断された場合には、再度、ステップＳ２５に戻る。また、ステップＳ２８の後は、再生部２３によって、録画したテレビ放送の再生が再開される（Ｓ２９）。つまり、表示部１２においてテレビ画面が表示される。
【０１４４】
ステップＳ２９の後は、上記読み出したデータテーブル以外に、上記録画したテレビ放送に関連付けて記憶部１６に記憶されたデータテーブルが他に存在するか否かを、制御部１８が判断する（Ｓ３０）。ステップＳ３０において他にデータテーブルが存在すると判断された場合には、制御部１８によって、当該他のデータテーブルが記憶部１６から読み出される（Ｓ３１）。そして、ステップＳ３１の後は、再度、ステップＳ２４に戻る。一方、ステップＳ３０において他にデータテーブルが存在しないと判断された場合には、処理を終了する。
【０１４５】
また、生成部２４は、録画したテレビ放送を再生中に、上述したような見出し語と当該見出し語についての意味とを表示するような処理が行われた場合であっても、上述した第１特定データを生成するとともに、データテーブルへ当該第１特定データを記憶する。また、当該再生中に、プレビュー機能オフの状態でリスト表示がされた場合、見出し語の例文が表示された場合、見出し語を解説するため画像が表示された場合、および見出し語を解説するための音声出力がなされた場合の少なくとも１つ以上がなされた場合であっても、生成部２４は上述した第２特定データを生成するとともに、データテーブルへ当該第２特定データを記憶する。つまり、生成部２４は、録画したテレビ放送の再生時においても、録画しているときと同様に、データテーブルの生成を行う。
【０１４６】
図１１は、録画したテレビ放送の再生中に、新たにデータテーブルを生成する際の処理のフローを示したフローチャートである。より詳しくは、図１１は、テレビ画面が表示部１２に表示されている場合に、新たなデータテーブルの生成がなされる処理が行われた場合の処理を示したフローチャートである。つまり、図１１は、再生開始前に生成されたデータテーブルを用いて辞書画面に切り替っている期間以外の期間に、新たなデータテーブルの生成がなされる処理が行われた場合の処理を示したフローチャートである。
【０１４７】
まず、再生部２３によって、録画したテレビ放送の再生が開始される（Ｓ４１）。ステップＳ４１の後は、上記録画したテレビ放送に関連付けて記憶部１６に記憶されたデータテーブルが制御部１８により、一つ読み出される（Ｓ４２）。ステップＳ４２の後は、録画データに基づいて、表示部１２においてテレビ画面が表示される（Ｓ４３）。
【０１４８】
ステップＳ４３の後は、読み出したデータテーブルに基づき、表示制御部２１が辞書画面への切り替え時間が到来したか否かを判断する（Ｓ４４）。ステップＳ４４において辞書画面への切り替え時間が到来したと判断された場合には、ステップＳ４５に進む。一方、ステップＳ４４において辞書画面への切り替え時間が到来していないと判断された場合には、ステップＳ５２に進む。
【０１４９】
ここで、図１１のステップＳ４５からステップＳ５１までに示した一連の処理は、図１０のステップＳ２５からステップＳ３１までに示した一連の処理と同じであるため、ここでの説明は省略する。なお、ステップＳ５０において、他のデータテーブルが存在しないと判断されると、ステップＳ６０に進む。
【０１５０】
ステップＳ５２においては、テレビ画面から辞書画面に切り替えられたか否かが制御部１８により判断される。つまり、再生中に、ユーザによる入力部１１を介した辞書画面に切り替える指示に応じて、テレビ画面から辞書画面に切り替えられたか否かが判断される。ステップＳ５２において辞書画面に切り替えられたと判断された場合には、テレビ放送の再生を中断する（Ｓ５３）。一方、ステップＳ５２において辞書画面に切り替えられていないと判断された場合には、ステップＳ４４に戻る。
【０１５１】
ステップＳ５３の後は、表示制御部２１により、辞書画面が表示される（Ｓ５４）。ステップＳ５４の後は、新たな見出しの語の入力が開始されたか否かが制御部１８により判断される（Ｓ５５）。そして、ステップＳ５５において新たな見出し語の入力が開始されたと判断された場合には、ステップＳ５６に進む。一方、ステップＳ５５において新たな見出し語の開始がされていないと判断された場合には、ステップＳ５７に進む。
【０１５２】
ここで、ステップＳ５６では、図９に示したステップＳ６からステップＳ１３までの処理が行われる。そして、ステップＳ５６の後は、辞書画面からテレビ画面に切り替えられたか否かが制御部１８により判断される（Ｓ５７）。ステップＳ５７においてテレビ画面に切り替えられたと判断された場合には、表示制御部２１により辞書画面が非表示となる（Ｓ５８）。一方、ステップＳ２７においてテレビ画面への切り替え時間が到来していないと判断された場合には、再度、ステップＳ５７に戻る。また、ステップＳ５８の後は、再生部２３によって、録画したテレビ放送の再生が再開される（Ｓ５９）。つまり、表示部１２においてテレビ画面が表示される。そして、ステップＳ５９の後は、再度、ステップＳ４４に戻る。
【０１５３】
次に、ステップＳ６０以降の処理について説明する。ステップＳ６０においては、テレビ画面から辞書画面に切り替えられたか否かが制御部１８により判断される。ここで、ステップＳ６０において辞書画面に切り替えられたと判断された場合には、ステップＳ６１に進む。一方、ステップＳ６０において辞書画面に切り替えられていないと判断された場合には、ステップＳ６８に進む。
【０１５４】
ここで、図１１に示すステップＳ６１からステップＳ６７までの一連の処理は、ステップＳ５３からステップＳ５９までに示した一連の処理と同じであるため、ここでの説明は省略する。なお、ステップＳ６７の後は、処理を終了する。
【０１５５】
また、ステップＳ６８においては、録画したテレビ放送の再生が終了したか否かが制御部１８により判断される。ここで、ステップＳ６８において再生が終了したと判断された場合には、処理を終了する。一方、ステップＳ６８において再生が終了していないと判断された場合には、再度、ステップＳ６０に戻る。
【０１５６】
なお、例えば、ステップＳ５２およびステップＳ６０における辞書画面へ切り替えは、ユーザが入力部１１を構成する所定の操作キー（辞書キー）を押下することにより行う構成とすればよい。また、ステップＳ５７およびステップＳ６５におけるテレビ画面への切り替えは、ユーザが入力部１１を構成する所定の操作キー（戻りキー）を押下することにより行われる構成とすればよい。
【０１５７】
ここで、録画データの再生中において、上記のように新たにデータテーブルが生成された場合、再度、当該録画したデータを再生するときの動作について説明する。
【０１５８】
この場合には、録画前に生成されていたデータテーブルと、再生時に新たに生成されたデータテーブルとを用いて、録画データの再生がなされる。例えば、新たに第１特定データが生成されて、記憶部１６のデータテーブルに当該第１特定データが追加記憶された場合には、再生部２３が再生指示を受け付けると、表示制御部２１は、追加記憶した第１特定データに基づく見出し語と当該見出し語についての意味とについても表示画面の少なくとも一部に表示させる。
【０１５９】
また、再生時においてデータテーブルに基づき辞書画面を表示する際、当該辞書画面を表示する順序は、再生するテレビ放送において、各データテーブルに関連付けられた上記関連付け画像（図８参照）が表示される順序に従う。具体例を挙げて説明すると、以下の通りである。
【０１６０】
例えば、データテーブル１とデータテーブル２とが録画前に生成されており、再生時に新たにデータテーブル３が生成されたとする。また、データテーブル３の関連付け画像データが、録画したテレビ放送における画像データにおいて、時間的にテーブル１の関連付け画像データとデータテーブル２の関連付け画像データとの間の画像データであったとする。このような場合、データテーブル１に基づく辞書画面の表示を行った後、データテーブル３に基づく辞書画面の表示処理を、データテーブル２に基づく辞書画面の表示処理よりも先に行う。
【０１６１】
このような構成とすることにより、新たにデータテーブルを生成した後にテレビ放送を再生する場合であっても、ユーザが例えば見出し語の意味を調べたのと同じようなタイミングで、再度、当該見出し語の意味等を表示可能となる。
【０１６２】
ただし、必ずしもこのような構成に限定されるものではなく、データテーブル１に基づく辞書画面の表示を行った後、データテーブル２に基づく辞書画面の表示処理を行い、その後で、データテーブル３に基づく辞書画面の表示処理を行う構成としてもよい。
【０１６３】
ところで、上記においては、再生開始前に生成されたデータテーブルを用いて辞書画面に切り替っている期間以外の期間に、新たなデータテーブルの生成がなされる処理が行われた場合について説明した。しかし、このような処理に限定されるものではない。
【０１６４】
例えば、再生開始前に生成されたデータテーブルを用いて辞書画面に切り替っている期間に、新たに辞書操作を受け付ける構成としてもよい。つまり、辞書画面に切り替っている期間は辞書が起動しているため、他の見出し語についての意味の検索等といった割り込み処理を受け付ける構成としてもよい。このような場合には、上記辞書画面を表示させるたに用いられたデータテーブルの各項目の欄に、新たに生成したデータを追加記憶させることにより、新たな第１特定データ等を生成する構成とすればよい。
【０１６５】
さらに、テレビ放送の録画中において、見出し語についての意味が表示されていない場合であっても、見出し語が表示されているとき、ユーザが当該表示画面を再生時に確認したいと考える場合もある。そこで、電子機器１の構成を、以下のようにしてもよい。
【０１６６】
まず、生成部２４が、特定された見出し語を特定された順に記憶部１６に記憶させるとともに、第３指示を受け付けた場合、上記特定された見出し語のうち当該第３指示を受け付けた直前に特定された見出し語を上記録画している映像データに関連付けて記憶１６に記憶し、表示制御部２１が、再生指示を受け付けた場合、上記直前に特定された見出し語についても表示画面に表示させる構成とすればよい。なお、第３指示とは、入力部１１を構成する特定の操作キー（例えば、取込キー）をユーザが押下することによって、電子機器１に入力される指示である。なお、当該操作キーは、ソフトキーであってもよい。
【０１６７】
上記の場合に加えて、辞書画面からテレビ画面に切り替えた場合に、切り替え直前に表示画面に表示されていた見出し語についても再生時に表示される構成としてもよい。この場合には、まず、生成部２４の構成を、特定された見出し語を特定された順に記憶部１６に記憶させるとともに、検索用画面がテレビ放送の代わりに表示画面に表示されている場合にテレビ放送を表示画面に再度表示させる第４指示を表示制御部２１が受け付けたときには、上記特定された見出し語のうち上記第４指示を受け付けた直前に特定された見出し語を録画している映像データに関連付けて記憶部１６に記憶する構成とする。そして、表示制御部２１の構成を、前記再生指示を受け付けた場合、前記直前に特定された見出し語についても表示画面に表示させる構成とすればよい。なお、第４指示とは、入力部１１を構成する特定の操作キー（例えば、表示画面切替キー）をユーザが押下することによって、電子機器１に入力される指示である。なお、当該操作キーは、ソフトキーであってもよい。
【０１６８】
また、上述した、取込みキーや表示画面切替キーといった特定の操作キーは、当該処理専用のキーではなく、他の処理を実行するキーと兼用のキーとしてもよい。
【０１６９】
ところで、上記においては、録画データの再生中に辞書画面が表示される順序は、各データテーブルに記憶された開始時刻のデータに基づいて定められている構成を例に挙げて説明した。つまり、表示制御部２１が、再生指示を受け付けた場合、上記第１指示を受け付けた直前に表示された映像データを再生した直後に、見出し語についての意味を表示画面に表示させる構成を例に挙げた。しかしながら、これに限定されるものではない。
【０１７０】
例えば、表示制御部２１が、再生指示を受け付けた場合、テレビ放送の再生の前に、見出し語についての意味を表示画面に表示させる構成としてもよい。あるいは表示制御部２１が、再生指示を受け付けた場合、テレビ放送の再生が終了した後に、見出し語についての意味を表示画面に表示させる構成としてもよい。
【０１７１】
このような構成とすることにより、再生途中に見出し語についての意味が表示される場合と異なる学習効果が得られる。また、見出し語の意味を表示可能であるとともに、テレビ放送を途切れることなく再生することができる。さらに、テレビ放送の再生前に見出し語についての意味を表示させる場合には、ユーザは当該意味を事前に確認できる。また、テレビ放送の再生が終了した後に見出し語についての意味を表示させる場合には、ユーザは当該意味を事後的に確認できる。
【０１７２】
また、第１特定データが一つのデータテーブルに複数記憶されている場合（例えば、図８（ａ）（ｂ））には、ユーザは、事前または事後的に、複数の見出し語についての意味を連続して確認することが可能となる。
【０１７３】
ところで、上記においては、データテーブルが生成されるのは、見出し語と当該見出し語についての意味とが表示された場合、プレビュー機能オフの状態でリスト表示がされた場合、見出し語の例文が表示された場合、見出し語を解説するため画像（図や写真）が表示された場合、および見出し語を解説するための音声出力がなされた場合の少なくとも１つ以上がなされた場合であったが、必ずしも、このような場合に限定されるものではない。例えば、辞書画面（例えば、上記詳細画面）のスクロール（行単位、複数行単位、ページ単位）が行われた場合に、データテーブルが生成される構成としてもよい。
【０１７４】
つまり、どうような辞書画面が表示された場合に上記のデータテーブルを作成するかについては電子機器１において予め定めておき、所定の辞書画面が表示された場合や所定の辞書画面を表示させるための指示を受付けた場合のように所定の辞書画面を表示させるための処理が行われた場合に、データテーブルを生成する構成とすればよい。
【０１７５】
ここで、表示された上記所定の辞書画面（電子辞書の所定の画面）を特定するデータを特定データと称すると、電子機器１は、受信したテレビ放送を表示画面に表示させた状態で、当該テレビ放送を録画部２２によって録画している場合に、第１指示を受け付けたとき、電子辞書の画面を表示画面に表示させる表示制御部２１と、電子辞書の画面のうち所定の画面を前記表示画面の少なくとも一部に表示させる処理が録画中に行われた場合、当該表示された画面を特定する特定データを電子辞書のデータに基づいて生成するとともに、当該生成した特定データを録画している映像データに関連付けて記憶部１６に記憶する生成部２４とを備え、表示制御部２１は、録画したテレビ放送を再生させる再生指示を再生部２３が受け付けた場合、当該テレビ放送に関連付けて記憶した特定データに基づき、上記所定の画面を表示画面に表示させる構成といえる。なお、第１特定データと第２特定データとは、上記特定データに含まれる概念である。
【０１７６】
このような構成によって、電子機器１では、再生時において、録画時に表示した所定の辞書画面を呼び出すためのユーザの入力作業が不要となる。
【０１７７】
また、上記においては、録画の開始と終了とを、その都度入力部１１を介してユーザが入力する構成を例に挙げて説明したが、これに限定されるものではない。予め、入力部１１を介して録画予約を受け付ける構成とし、録画開始時刻になると録画を開始するとともに録画終了時刻になると録画を終了する構成としてもよい。
【０１７８】
また、上記においては、データテーブルが個別に生成される構成を例に挙げて説明したが、これに限定されるものではない。一つのデータテーブルのみを用いる構成であってもよい。この場合には、データテーブルの開始時間を基準として、順次、辞書画面を他の辞書画面等に切り替える構成とすればよい。つまり、第１特定データおよび第２特定データの形式は、上述した形式に限定されるものではない。
【０１７９】
なお、上記においては、データテーブルの時間の欄に記憶された時間だけ各辞書画面を表示したが、これに限定されるものではない。例えば、再生回数に応じて、表示する時間を短くする構成としてもよい。
【０１８０】
また、上記においては、再生時において自動的にテレビ画面に移行する構成を例に挙げて説明したが、これに限定されるものではない。例えば、入力部１１を介したユーザからの入力があった場合にのみ、テレビ画面に移行する構成としてもよい。
【０１８１】
また、上記においては、再生中に上記第１特定データ等を生成する構成を、図１１に基づき説明した。そして、当該説明においては、録画したテレビ放送の再生前に既に第１特定データ（データテーブル）等が既に生成されたことを前提に説明した。しかしならが、これに限定されるものではなく、録画したテレビ放送の再生前に未だ第１特定データ（データテーブル）等が生成されいない場合において、再生時にデータテーブルが生成される構成としてもよい。
【０１８２】
また、本実施の形態では、生成した第１特定データを、録画している映像データに関連付けた。この関連付けは、第１特定データを映像データに直接的に関連付ける手法を用いてもよいし、映像データについての時間のデータを用いて間接的に関連付ける手法を用いてもよい。つまり、例えば所定時間の番組（例えば、１５分番組）において、関連付け画像に相当する画像が所定時間におけるどの時点（例えば、９分３０秒）の画像であるかを記憶部１６に記憶し、再生時に当該記憶したデータを用いてテレビ画面と辞書画面との切り替えを行う構成としてもよい。
【０１８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１８４】
【図１】本実施の形態に係る電子機器の概略構成を示した機能ブロック図である。
【図２】プレビューモードにおいて、検索用画面を介して入力を行っている状態を示した図である。
【図３】リスト内における他の見出し語を指定した場合における表示画面の状態を示した図である。
【図４】リスト非表示詳細画面の一例を示した図である。
【図５】ジャンプ機能を実行した後の表示画面を示した図である。
【図６】上記電子機器として機能するコンピュータシステムのハードウェア構成を表わすブロック図である。
【図７】受信したテレビ放送を表示画面に表示するとともに当該テレビ放送を録画している際に、ユーザが辞書機能を用いて語句の意味を調べた場合の表示画面の遷移を示した図である。
【図８】上記データテーブルを示した図であって、（ａ）は上記データテーブルの一例を示した図であり、（ｂ）は上記データテーブルの他の例を示した図である。
【図９】テレビ放送を表示画面に表示した後に、当該テレビ放送を録画の開始をした場合において、辞書画面が表示されたときの処理のフローを示したフローチャートである。
【図１０】録画したテレビ放送を再生する際の処理のフローを示したフローチャートである。
【図１１】録画したテレビ放送の再生中に、新たにデータテーブルを生成する際の処理のフローを示したフローチャートである。
【符号の説明】
【０１８５】
１１  入力部、１２  表示部、１３  音声出力部、１４  受信部、１６  記憶部、１７  辞書データベース、１８  制御部、２１  表示制御部、２２  録画部、２３  再生部、２４  生成部、２５  第１指定部、２６  第２指定部、２７  測定部。
【図１】
2010041197.tif 000003
【図２】
2010041197.tif 000004
【図３】
2010041197.tif 000005
【図４】
2010041197.tif 000006
【図５】
2010041197.tif 000007
【図６】
2010041197.tif 000008
【図７】
2010041197.tif 000009
【図８】
2010041197.tif 000010
【図９】
2010041197.tif 000011
【図１０】
2010041197.tif 000012
【図１１】
2010041197.tif 000013